(57)【要約】本発明は毛（３）の除去の為の脱毛機器（１）に関する。本発明の脱毛機器（１）は、接着効果を有し、且つ、毛（３）が皮膚（２）から引き抜かれる引き抜きゾーンに供給されるストリップ（５）が設けられることを特徴とする。
2007506491.tif 000002
【特許請求の範囲】
【請求項１】
毛の除去の為の脱毛機器であって、
接着効果を有し、且つ、前記毛が皮膚から引き抜かれる引き抜きゾーンに供給されるテープが設けられることを特徴とする脱毛機器。
【請求項２】
前記テープを、前記皮膚にあてる加圧装置が設けられることを特徴とする請求項１記載の脱毛機器。
【請求項３】
前記テープは、前記テープの接着面と共に前記皮膚にあてられるよう前記加圧装置に対して方向付けられることを特徴とする請求項２記載の脱毛機器。
【請求項４】
前記引き抜きゾーンにおいて、前記皮膚から前記テープを離すよう案内する偏向器装置が配置されることを特徴とする請求項１乃至３のうちいずれか一項記載の脱毛機器。
【請求項５】
前記テープは、前記加圧装置から前記偏向器装置に供給されることを特徴とする請求項４記載の脱毛機器。
【請求項６】
前記偏向器装置は、２つの並列される偏向器素子を有し、
前記テープは、前記２つの偏向器素子間を通されることを特徴とする請求項４又は５記載の脱毛機器。
【請求項７】
前記２つの偏向器素子は、互いに対して圧迫されることを特徴とする請求項６記載の脱毛機器。
【請求項８】
前記２つの偏向器素子は、回転可能に懸架されることを特徴とする請求項６又は７記載の脱毛機器。
【請求項９】
前記テープは、第１の供給リールから解かれるよう適応されることを特徴とする請求項１乃至８のうちいずれか一項記載の脱毛機器。
【請求項１０】
前記テープを受け取る巻き取りリールが設けられることを特徴とする請求項１乃至９のうちいずれか一項記載の脱毛機器。
【請求項１１】
前記巻き取りリールを駆動する駆動モータが設けられることを特徴とする請求項１０記載の脱毛機器。
【請求項１２】
前記引き抜きゾーンにおいて前記テープと合わされるようにされる追加のテープが設けられることを特徴とする請求項１乃至１１のうちいずれか一項記載の脱毛機器。
【請求項１３】
前記テープ及び／又は前記追加のテープは、接着テープであることを特徴とする請求項１乃至１２のうちいずれか一項記載の脱毛機器。
【請求項１４】
前記脱毛機器が前記皮膚にあてられたときに前記駆動モータを作動させる装置が設けられることを特徴とする請求項１乃至１３のうちいずれか一項記載の脱毛機器。
【請求項１５】
前記テープに先行するよう毛配列装置が配置されることを特徴とする請求項１乃至１４のうちいずれか一項記載の脱毛機器。
【請求項１６】
脱毛機器によって毛を除去する方法であって、
テープが、前記脱毛機器によって皮膚と接触関係になるようにされ、それにより、毛が前記テープに接着し、
前記テープは、前記脱毛機器の引き抜きゾーンに供給され、
前記毛は、前記引き抜きゾーンにおいて前記皮膚から引き抜かれることを特徴とする方法。
【請求項１７】
前記テープは、前記引き抜きゾーンにおいて前記皮膚から離れるよう案内され、それにより、前記毛は、前記皮膚に対して持ち上げられることを特徴とする請求項１６記載の方法。
【請求項１８】
前記テープと共に、前記持ち上げられた毛は、２つの偏向器素子の間で挟まれ、前記皮膚から引き抜かれることを特徴とする請求項１７記載の方法。
【請求項１９】
前記テープは、前記２つの偏向器素子を、対向方向の回転動作にすることを特徴とする請求項１８記載の方法。
【請求項２０】
前記毛の引き抜きの間、周りの皮膚は、前記偏向器素子によって固定された状態にされることを特徴とする請求項１８又は１９記載の方法。
【請求項２１】
前記毛は、引き抜かれた後、前記テープに接着されたままであり、前記テープと共に運ばれることを特徴とする請求項１６乃至２０のうちいずれか一項記載の方法。
【請求項２２】
前記テープの供給動作が、前記皮膚に対する前記脱毛機器の前方動作を生成することを特徴とする請求項１６乃至２１のうちいずれか一項記載の方法。
【請求項２３】
前記テープは、前記皮膚に対して前記脱毛機器を手動で前進させることによって駆動されることを特徴とする請求項１６乃至２１のうちいずれか一項記載の方法。
【発明の詳細な説明】
【発明の詳細な説明】
【０００１】
本発明は、毛の除去のための脱毛機器に係る。本発明は更に、脱毛機器によって毛を取り除く方法に係る。
【０００２】
脱毛機器は、当該技術において、様々な実施例で知られている。例えば、欧州特許第０７０５５４６号は、毛を挟み引き抜く機械的挟み付け装置を有する脱毛器を開示する。挟み付け装置は、アクスル上に配置され、それぞれ、一対の軸方向に隣接する挟み付け素子から構成され、各対の少なくとも１つの素子は、各対の挟み付け素子が軸方向に互いに対して圧迫することが可能であるよう軸方向に駆動可能である。更に、挟み付け素子は、振動回転動作を行うよう駆動されることが可能である。これが起きる際に、一対の挟み付け素子は、毛を捕捉するよう第１の位置から第２の位置に動く際に閉じ、その閉位置を、第１の位置に戻る際に維持し、それにより、毛を引き抜く。特に、各２つの可動挟み付け素子が、各１つの固定挟み付け素子に両側から圧迫され、それにより、望ましくない振動及び結果として伴う音の発生を回避する。
【０００３】
更に、脱毛機器用の回転シリンダが国際公開第９８／０５２３４号から公知である。この回転シリンダは、基本的に、互いに対して角度が付けられたオフセット関係に配置される複数の対の挟み付け素子を有する。回転シリンダは更に、挟み付け素子を、脱毛器の引き抜きゾーンの領域において対における互いに挟み付け接触にし、次に再びそれらを離す作動素子を有する。更に、その作動素子を制御する少なくとも１つの制御素子が設けられる。挟み付け素子の各対には、別個の個別に可動な作動素子が割り当てられる。
【０００４】
米国特許第５，０４１，１２２号からは、反対の方向に回転する少なくとも一対のローラを有する脱毛機器が公知である。ローラ対は、細長いアパーチャを有するシアープレートによって覆われる。シアープレートは、皮膚をローラから離す一方で、毛がシアープレート内のアパーチャを通り続けてローラによって捕捉されることを可能にする。
【０００５】
個別に引き抜く挟み付け装置を有する公知の脱毛器は、脱毛器によって捕捉された毛の相対的に信頼のある抜き取りを可能にする。しかし、可能な限り無痛で引き抜くこと、及び、永続効果のために満足される必要のある周辺の条件下では、達成可能な効率は、最適ではない。脱毛用の回転ローラ対を有する公知の構成では、毛の捕捉処理が非常に困難な作業であり、従って、このシステムも改善の必要がある。
【０００６】
本発明は、ユーザにとって最小限の不快さで毛の効率のよい且つ長持ちする除去を可能にする脱毛機器を提供することを目的とする。
【０００７】
この目的は、請求項１の特徴の組合せを具現化する脱毛機器によって達成される。
【０００８】
毛を除去するための本発明の脱毛機器は、接着効果を有し、且つ、毛が皮膚から引き抜かれる引き抜きゾーンに供給されるテープが設けられることを特徴とする。
【０００９】
本発明は、原理上は、全ての毛が、テープによって覆われた領域では引き抜かれることが可能であるという利点を有する。何故なら、テープは、その表面積全体で毛を捕捉し、毛の捕捉において意図的な空隙を残さないからである。従って、達成可能な有効性は非常に高い。
【００１０】
本発明の脱毛機器の１つの好適な実施例では、テープを皮膚にあてる加圧装置が設けられる。このテープは、テープの接着面と共に皮膚にあてられるよう加圧装置に対して望ましく方向付けられる。このようにして、テープへの毛の信頼のある接着が達成可能である。
【００１１】
本発明の脱毛機器の引き抜きゾーンでは、皮膚からテープを離すよう案内する偏向器装置が配置されうる。一般的に、加圧装置から偏向器装置に供給されるべきテープが設けられる。偏向器装置は、２つの並列される偏向器素子を有し得、テープは、互いに圧迫されることが好適である２つの偏向器素子間を通される。この構成では、２つの偏向器素子が、回転可能に懸架されることが特に有利である。このアプローチでは、毛は、比較的低速で且つ皮膚面に対して基本的に垂直に皮膚から引き抜かれ、同時に、毛と共に比較的大きい量の毛根も除去される。従って、脱毛動作が繰り返されなければならない時までの間隔は、相当に延ばされる。
【００１２】
もう１つの利点は、雑音レベルは、本発明の脱毛機器の動作において比較的低いことである。
【００１３】
本発明の脱毛機器の１つの好適な実施例では、テープは、第１の供給リールから解かれることが可能である。更に、テープを受け取る巻き取りリールを設けることが可能である。このことは、テープを容易に交換することを可能にし、また、テープは一度しか使用されないことにより脱毛の一定品質を確実にするという利点を有する。特に、巻き取りリールを駆動する駆動モータが設けられることも可能である。
【００１４】
本発明の脱毛機器において、引き抜きゾーンにおいてテープと合わされるようにされる追加のテープが設けられることが好適である。これは、引き抜かれた毛と剥離された鱗屑をテープと追加のテープとの間で留め、それにより、本発明の脱毛機器を汚さないようにし、それにより、本発明の脱毛機器を用いて、入念なクリーニング作業を必要とせずに衛生的な脱毛動作が行われることが可能であるという利点を有する。テープ及び／又は追加のテープは、接着テープでありうる。接着テープは非常に多様且つ低費用で入手可能であるので、本発明による使用に適した接着性を有する接着テープを提供することは問題ない。
【００１５】
本発明の脱毛機器の快適且つ信頼のある動作は、脱毛機器が皮膚にあてられたときに駆動モータを作動させる装置が設けられることによって確実にされうる。
【００１６】
脱毛機器によって毛を除去する本発明の方法は、テープが、脱毛機器によって皮膚と接触関係になるようにされ、それにより、毛がテープに接着し、テープは、脱毛機器の引き抜きゾーンに供給され、毛は、引き抜きゾーンにおいて皮膚から引き抜かれることを特徴とする。
【００１７】
特に、本発明の方法は、テープは、引き抜きゾーンにおいて皮膚から離れるよう案内され、それにより、毛は、皮膚に対して持ち上げられるよう設計される。このようにして、毛は、引き抜き動作の為に信頼性を有して捕捉される。テープと共に、持ち上げられた毛は、２つの偏向器素子の間で挟まれ、皮膚から引き抜かれることが可能である。この方法では、テープが、２つの偏向器素子を、対向方向の回転動作にさせることが特に有利である。毛の引き抜きの間、周りの皮膚は、偏向器素子によって固定された状態にされることが可能である。本発明の方法は、毛は、引き抜かれた後、テープに接着されたままにされ、テープと共に運び去られるよう設計される。
【００１８】
脱毛に必要な動作は、様々な方法で生成されうる。例えば、テープの供給動作が、皮膚に対する脱毛機器の前方動作を生成することの可能性がある。或いは、テープは、皮膚に対して脱毛機器を手動で前進させることによって駆動されることも可能である。
【００１９】
本発明を、添付図面に示す実施例を参照しながら以下により詳細に説明する。
【００２０】
図１は、本発明に従って構成した脱毛機器１の実施例を非常に概略的に示す断面図である。皮膚２からの毛３の除去が含まれる脱毛動作時の脱毛機器１を示す。脱毛機器１は、第１の供給リール４に巻き付けられ、加圧ローラ６及び第１のガイドローラ７を介して巻き取りリール８に供給される接着テープ５を有する。更に、第２のガイドローラ１１を介して巻き取りリール８に供給される追加の接着テープ１０を保持する第２の供給リール９が設けられる。更に、脱毛機器１は、ケーシング１２を有する。第１の供給リール４、巻き取りリール８、及び第２の供給リール９は、脱毛機器１内又は上の略どの位置においても配置しうる。しかし、このコンテキストにおいて、接着テープ５と追加の接着テープ１０が、上述したような方法で案内可能であることを確実にするよう注意しなければならない。必要であるならば、接着テープ５及び／又は追加の接着テープ１０は、図示しない更なるローラを介して案内されてもよい。加圧ローラ６、及び２つの案内ローラ７及び１１は、脱毛時に皮膚２に当てられる方の脱毛機器１の側に配置される。この側において、ケーシング１２は、皮膚２に向かって開いており、それにより、加圧ローラ６、及び２つの案内ローラ７及び１１が外側からアクセス可能である。加圧ローラ６は、接着テープ５の接着面が皮膚２に接触しながら接着テープ５を皮膚２に対して圧迫する。更に、接着テープ５は、第１の案内ローラ７と協働して加圧ローラ６によって皮膚２の表面と平行に方向付けられる。第１の案内ローラ７及び第２の案内ローラ１１は、毛３が皮膚２から引き抜かれる引き抜きゾーンにおいて互いに近接して位置付けられる。接着テープ５及び追加の接着テープ１０は、それらの接着面が接着の為に互いに対して押されながら２つの案内ローラ７及び１１の間を通される。この状態で、接着テープ５、及び追加の接着テープ１０は、巻き取りリール８に一緒に巻き取られる。巻き取り処理は、巻き取りリール８を回転させる図示しない駆動モータによって支援される。巻き取りリール８の回転方向は、矢印によって示す。同様に、供給リール４及び９の回転方向、接着テープ及び追加の接着テープ１０の供給方向、並びに、脱毛機器１の動作方向も矢印によって示す。
【００２１】
本発明の脱毛機器１を用いて脱毛動作は以下のように行われる。
【００２２】
図１に示すように、脱毛機器１は、接着テープ５及び追加の接着テープ１０の接着面が、それぞれ、加圧ローラと第１の案内ローラ６、及び第２の案内ローラ１１によって皮膚２に接触関係で圧迫されるよう皮膚２に対して置かれる。脱毛機器１が、皮膚２にあてられる際に、巻き取りリール８の駆動モータが作動され、巻き取りリール８を回転させる。駆動モータは、例えば、圧力動作スイッチを用いるセンサ配置によって作動される。巻き取りリール８の回転速度は、駆動モータの制御を介して予め決定されることが可能である。巻き取りリール８の回転によって、接着テープ５及び追加の接着テープ１０は接着状態で巻き取りリール８上に巻き取りされる。対応して、接着テープ５及び追加の接着テープ１０は、それらの供給リール４及び９から解かれる。第１の供給リール４から巻き取りリール８に供給される接着テープ５は、加圧ローラ６によって皮膚２にあてられる。接着テープ５によって皮膚２及び毛３に対して生成される接着効果によって、脱毛機器１は、接着て５の供給速度に達する速度ｖにおいて皮膚２の表面に対して平行に動かされる。図１では、脱毛機器１は、右から左に動く。この動作が進むに従って、接着テープ５の接着面は、より多くの３と連続的に接触し、次に接着テープ５に接着する。第１の案内ローラ７を通る際に、接着テープ５に接着する毛３は、接着テープ５の偏向によって持ち上げられ、互いに押し付けられる２つの案内ローラ７及び１１によって接着テープ５と追加の接着テープ１０との間に挟まれる。案内ローラ７及び１１と、接着テープ５と追加の接着テープ１０との間の接着効果によって生成される締め付け動作によって、毛３は、接着テープ５及び追加の接着テープ１０に引っ張られ、その過程において引き抜かれる。即ち、皮膚２は脱毛される。
【００２３】
同じサイズの案内ローラ７及び１１を使用するとき、脱毛は、皮膚２の表面に対して９０°の角度で行われる。毛３が皮膚２から引き抜かれる速度は、脱毛機器１又は接着テープ５の速度ｖに等しく、また、比較的低速である。低速引き抜き速度と、皮膚表面に対する引き抜き動作の垂直方向は、比較的多くの毛根部が毛３と共に取り除かれる効果を有する。脱毛処理の間、２つの案内ローラ７及び１１は主に、引き抜かれたばかりの毛３の近接付近にある皮膚２が、この特定の毛３によって皮膚２に加えられる引き抜き張力に屈しないよう防ぎ、それにより、脱毛による痛みが相対的に低いレベルに維持されることが可能である。引き抜かれた３及び鱗屑は、接着テープ５と追加の接着テープ１０との間に捕捉され、脱毛機器１の汚れを阻止するよう運び去られる。接着テープ５と追加の接着テープ１０が、供給リール４及び９から完全に解かれると、供給リール４及び９は交換される。これは、追加の接着テープ１０に接着された接着テープ５を保持する巻き取りリール８の交換も含む。
【００２４】
上述した脱毛機器１の実施例では、皮膚２に対する脱毛機器１の前進動作は、巻き取りリール８の駆動モータによって生成される。脱毛を行うために、ユーザは、前方動作の方向を決定するよう脱毛機器を手動で案内しながら皮膚２に対して脱毛機器１をあてるだけでよい。或いは、巻き取りリール８用の駆動モータがない脱毛機器１の可能性もある。この場合、脱毛機器１の前方動作は、手動によって行われ、それによりテープ５を駆動させる。
【００２５】
脱毛機器１の別の変形において、追加の接着テープ１０の代わりに接着コーティングを有さないマスキングテープを使用する。更に、追加の接着テープ１０、従って第２の供給リール９全体を省略することも可能である。この場合、第２の案内ローラ１１は、接着テープ５と第２の案内ローラ１１との間に毛３を挟むことが可能であるよう維持されうる。
【００２６】
もう１つの可能性は、接着テープ５を、接着剤で被覆されないテープに置き換え、毛３の接着を別の方法でもたらすことである。毛３の接着は、例えば、テープに任意の表面構造を与えるか又は帯電させることによっても達成されうる。
【００２７】
接着テープ５、及び、適用可能であるならば、必要な供給リール及び巻き取りリールを含む追加の接着リール１０、加圧ローラ及び案内ローラは、完全なユニットとして交換可能な組立体又はカートリッジとして構成されうる。これは、接着テープ及び接着する毛の単純且つ特に衛生的な処分を可能にする。
【００２８】
脱毛機器１の更なる面では、接着テープ５に接着する毛３の向きに影響を与える装置が設けられる。そのような装置は、引き抜きゾーンにおける皮膚２からの毛３の持ち上げを容易にするために毛３を接着テープ５の動作方向に、特に、配列するよう試みる。毛３の配列のために、例えば、加圧ローラ６に先行するよう配置される櫛が設けられうる。櫛の変わりに、シリンダを用いてもよい。特に有利なのは、毛を接着テープ５に向けて梳き、毛先をこの方向に配列させるアクティブ駆動される櫛又はブラシ、特に、円筒ブラシである。更に、毛３の配列は、帯電によっても影響を受けうる。更に、皮膚２上の毛３の向きに対して脱毛機器１の前方動作の方向を好適に選択することによって、ユーザは、接着テープ５上の毛２の配列に作用する可能性が提供されうる。
【図面の簡単な説明】
【００２９】
【図１】本発明に従って構成される脱毛機器１の実施例を示す断面図である。
2007506491.tif 000003
【国際調査報告】
2007506491.tif 000004
2007506491.tif 000005
2007506491.tif 000006
2007506491.tif 000007